(57)【要約】【課題】給電機能を実装しつつ給電帯域から発生する電力線通信に影響を及ぼすノイズ群を除去すること。【解決手段】充電機能部３２と充電インターフェース３１と電力用インターフェース３６と通信用インターフェース３７とを備えた電力線通信端末であって、充電インターフェースに接続された被充電端末から放出される電力線通信に影響するノイズを除去するノイズフィルタ部３４を備えている。ハイパスフィルタ部３５とノイズフィルタ部３４の双方を備えることにより、電力線通信制御部３３に入ってくる信号を充電機能部３２からのノイズの影響がない電力線通信帯域にする。【選択図】図３
2010041303.tif 000002
【特許請求の範囲】
【請求項１】
充電機能と充電インターフェースと電力用インターフェースと入出力用インターフェースを備えた電力線通信端末であって、
前記充電インターフェースに接続された被充電端末から放出される電力線通信に影響するノイズを除去するフィルタを具備することを特徴とする電力線通信端末。
【請求項２】
給電帯域と電力線通信帯域とを分離するフィルタをさらに具備することを特徴とする請求項１に記載の電力線通信端末。
【請求項３】
前記入出力用インターフェースは、ネットワークインターフェースであることを特徴とする請求項１に記載の電力線通信端末。
【請求項４】
前記入出力用インターフェースは、電力用インターフェースに接続される電源配線を介して前記入出力インターフェースに接続される外部機器とデータの入出力を行うことを特徴とする請求項１に記載の電力線通信端末。
【請求項５】
前記充電機能は、特に携帯電話の充電機能であり、前記フィルタは、前記携帯電話の充電から放出される前記電力線通信に影響するノイズを除去するフィルタであることを特徴とする請求項１に記載の電力線通信端末。
【発明の詳細な説明】
【技術分野】
【０００１】
本発明は、電力線通信を行う端末に関するものである。
【背景技術】
【０００２】
近年、ホームネットワークが普及してきており、使用されるネットワークの形態も様々である。その中でも注目されている通信形態として電力線通信がある。電力線通信は通信装置を電源のコンセントに差し込むだけで通信経路を確保することが可能になる。
【０００３】
電力線通信（ＰＬＣ：Ｐｏｗｅｒ  Ｌｉｎｅ  Ｃｏｍｍｕｎｉｃａｔｉｏｎ）は、所定の周波数帯において、ＯＦＤＭ（Ｏｒｔｈｏｇｏｎａｌ  Ｆｒｅｑｕｅｎｃｙ  Ｄｅｖｉｓｉｏｎ  Ｍｕｌｔｉｐｌｅｘｉｎｇ：直交周波数分割多重）方式のように複数の搬送波を用いてマルチキャリア信号を生成し、マルチキャリア信号を電力線で伝送するものである。
【０００４】
この電力線通信は、給電とデータ通信の双方を同時に利用できるため、携帯電話やＰＤＡなどポータブル電気機器の充電装置に電力線通信機能を搭載し、容易にネットワーク接続を可能にするものが存在する（例えば特許文献１）。
【０００５】
特許文献１における図１は、従来の充電装置の構成図を示している。この充電装置は、ＰＣやプリンターなどの外部機器と携帯機器を極めて簡単に接続できる携帯機器および充電装置であり、充電用の電力を供給する給電用インターフェース１１と、外部機器との間でデータ交換が可能な入出力用インターフェース１２と、インターフェース１１に流れる電流に入出力用インターフェース１２で得られたデータを重畳し、また、その電流に重畳されているデータを抽出し入出力用インターフェース１２に供給するフィルタ１５とを有する充電装置１０を提供している。また、受電用インターフェース２１に流れる電流に重畳されているデータを抽出し、さらに、データ処理部３２のデータをその電流に重畳するフィルタ３４を有する携帯電話２０を提供する。バッテリー３３を充電するために、携帯電話２０を充電装置１０にセットするだけで、携帯電話２０と外部機器との間でデータを交換できる。
【特許文献１】特開２００４−１５４４９号公報
【発明の開示】
【発明が解決しようとする課題】
【０００６】
しかしながら、電力線通信は携帯電話の充電器から放出されるノイズが伝送路上に乗ってしまうと影響を強く受けてしまい、通信速度が大幅に遅くなってしまう。上記従来の構成の充電器では、電力線通信の伝送路に乗ってくるノイズは自身がもつハイパスフィルタで除去できたとしても、自身がもつ携帯電話の充電から放出されるノイズを除去していないため、ノイズが回り込み結果的に影響を受けてしまい、ＰＣやプリンターなどとの外部機器とデータ交換に時間がかかってしまうか、もしくはできない可能性がある。また、充電器が給電している携帯電話がデータ通信を行っていなくとも、携帯電話が充電をしている場合に、携帯電話の充電器から放出されるノイズが電力線通信の伝送路に乗ってしまい、他の電力線通信システムに影響を及ぼしてしまう。
【０００７】
本発明は、上記従来の課題を考慮して、充電中の機器が発生するノイズを発生元から除去することにより、電力線通信の品質を上げることを目的とする。
【課題を解決するための手段】
【０００８】
上述した課題を解決するために、第１の本発明は、充電機能と充電インターフェースと電力用インターフェースと入出力用インターフェースを備えた電力線通信端末であって、
前記充電インターフェースに接続された被充電端末から放出される電力線通信に影響するノイズを除去するフィルタを備えた電力線通信端末である。
【０００９】
また第２の本発明は、給電帯域と電力線通信帯域とを分離するフィルタを具備することを特徴とする第１の本発明の電力線通信端末である。
【００１０】
また第３の本発明は、前記入出力用インターフェースは、ネットワークインターフェースであることを特徴とする第１の本発明の電力線通信端末である。
【００１１】
また第４の本発明は、前記入出力用インターフェースは、電力用インターフェースに接続される電源配線を介して前記入出力インターフェースに接続される外部機器とデータの入出力を行うことを特徴とする第１の本発明の電力線通信端末である。
【００１２】
また第５の本発明は、前記充電機能は、特に携帯電話の充電機能であり、前記フィルタは、前記携帯電話の充電から放出される前記電力線通信に影響するノイズを除去するフィルタであることを特徴とする第１の本発明の電力線通信端末である。
【発明の効果】
【００１３】
本発明により、電力線通信伝送に及ぼすノイズによる影響を軽減することが可能になる電力線通信端末を提供することができる。
【発明を実施するための最良の形態】
【００１４】
以下に、本発明を実施するための最良の形態について図面を参照しながら説明する。
【００１５】
（実施の形態１）
図１に、本発明の実施の形態１の電力線通信端末の概略図を示す。
【００１６】
図１に示すように、携帯電話１は、電力線通信端末３の充電インターフェース（充電台）２に接続し、充電インターフェース２を介して、電力インターフェース５から給電される電力によって充電される。図１における充電インターフェースの形状は一例であり、この形状ではなくても、充電する機器と接続できる形状であればよい。
【００１７】
また、電力線通信端末３は、電力インターフェース５の先に接続される他の電力線通信端末と電力線通信を行い、通信インターフェース４を介して接続される他の通信機器とデータ通信を行う。
【００１８】
図２は電力線通信を利用したネットワークの一構成例を示す図である。携帯電話１を充電中の電力線通信端末３にＰＣ６がＥｔｈｅｒｎｅｔ（登録商標）ケーブル１３で接続されており、電力線通信を行っている。電力線通信端末３は、電力線１４を介して複数の電力線通信端末７、電力線通信端末８、電力線通信端末９と接続されており、それぞれの電力線通信端末には、プリンター１０、ＰＣ１１、インターネット１２が接続されており、ホームネットワークを構成している。例えば、ＰＣ６が電力線通信を利用して、インターネットを行ったり、プリンター１０で印刷をしたりすることが可能になる。
【００１９】
図３は、電力線通信端末３の一構成例を示すブロック図である。
【００２０】
図３に示すように、電力線通信端末は、電力を供給する接点ＩＦ（Ｉｎｔｅｒｆａｃｅ）である充電ＩＦ３１、充電ＩＦに接続された機器に電力ＩＦより供給される電力を充電する充電機能部３２、通信ＩＦを介して行う電力線通信を制御する電力線通信制御部３３、充電機能部３２が稼動する際に放出されるノイズを除去するノイズフィルタ部３４、高周波数領域のみを分離するハイパスフィルタ部３５、充電用の電力を供給するＩＦである電力ＩＦ３６、通信用のＩＦである通信ＩＦ３７で構成されている。
【００２１】
まず、電力線通信端末３に接続された携帯電話１への給電について説明する。
【００２２】
電力線通信端末３の充電ＩＦ３１は、携帯電話１の充電用のインターフェースに接続し、携帯電話１に電力を供給する接点ＩＦとなっている。
【００２３】
なお、ここで充電される機器を携帯電話としたが、ＰＤＡ（Ｐｅｒｓｏｎａｌ  Ｄｉｇｉｔａｌ  Ａｓｓｉｓｔａｎｔ）やポータブル機器などの無線移動端末であればよい。更に、充電ＩＦは携帯電話との接点方式の充電ＩＦとしたが、電磁波や光などを用いて携帯電話に電力を供給する非接点方式でも構わない。
【００２４】
この充電ＩＦ３１には、充電機能部３２が接続されており、携帯電話１のバッテリーを充電したり、携帯電話１を稼動したりするための直流電力を供給する。
【００２５】
充電機能部３２は、電力ＩＦ３６より供給される電力を充電ＩＦ３１に供給し、稼動する際に放出されるノイズを除去するためのノイズフィルタ部３４が接続されている。ノイズフィルタ部３４は、電力ＩＦ３６にも接続されており、電力ＩＦ３６は、家庭用のコンセントに接続可能な差込プラグから得られた交流電力を充電用の直流電力に変換するＡＣ−ＤＣコンバータを備えている。
【００２６】
次に、電力線通信端末３の電力線通信の過程について説明する。電力線通信端末３は、電力ＩＦ３６に接続された他の電力線通信端末とデータの伝送を行い、通信ＩＦ３７に接続された機器とデータ通信を可能にする。
【００２７】
電力ＩＦ３６からの電力線通信信号は、電力に重畳して送られており、その信号をハイパスフィルタ部３５により、データ成分が含まれる高周波数領域のみを電力線通信制御部３３へ送るように分離する。電力線通信制御部３３には通信ＩＦ３７が接続されるため、電力ＩＦ３６を流れる電流からハイパスフィルタ部３５により高周波成分であるデータを抽出して通信ＩＦ３７に出力でき、通信ＩＦ３７から供給されたデータを高周波成分として電力に重畳して電力ＩＦ３６から出力できる。
【００２８】
次に、電力線通信端末３が持つ２つのフィルタ部について図４を用いて詳細に説明する。図４の（ａ）〜（ｄ）において、左側が低周波数帯であり、右側に行くほど高周波数帯を表している。
【００２９】
まず、ハイパスフィルタ部３５について説明する。
【００３０】
図４（ａ）は、通常の給電用の電力と電力線通信が使用するそれぞれの周波数帯を示している。図４（ａ）に示すように、低周波数帯に給電帯域２０が存在し、高周波数帯に電力線通信帯域２１が規定されている。
【００３１】
ハイパスフィルタ部３５は、図４（ａ）に示す信号が入力されると、図４（ｂ）に示されるように、ハイパスフィルタ２３を備え、ハイパスフィルタ２３により高周波数帯に存在する電力線通信端末帯域２１だけを取り出し、電力線通信に不要な給電帯域２０をカットする。これで、電力線通信端末３だけに必要な成分を抽出することが可能になる。
【００３２】
しかし実際には、図４（ｃ）に示されるように、給電帯域２２には、充電ＩＦ３１に接続されている携帯端末１が発生源であるノイズ（塗りつぶし）が広範囲で放出されているため、図４（ｃ）の場合には、電力線通信帯域２１の中の電力線通信帯域２４に影響を与える。
【００３３】
つまり、ハイパスフィルタ部３５だけでは、図４（ｄ）の電力線通信帯域２５に示されるように、充電機能部３２が発生させるノイズ群の影響を受けてしまった信号を電力線通信制御部３３に送ってしまう。これは、電力線通信網でのパケットエラーレートの増加を招き、スループットの低下を発生させる。また、自身の通信ＩＦ３７が接続される電力線通信網にＰＣ６が接続されていなくとも、電力線通信網に影響を大きく及ぼしてしまう。
【００３４】
その為、本発明における電力線通信端末は、充電機能部３２から出力される信号から、ノイズ群をカットし、給電帯域のみを通過させるノイズフィルタ部３４を備える。図５（ａ）に示すように、充電機能部３２より出力される図４（ｃ）の信号が、ノイズフィルタ部３４により、給電帯域２６のみを通過させる。
【００３５】
以上のことから、本発明では、ハイパスフィルタ部３５とノイズフィルタ部３４の双方を備えることにより、電力線通信制御部３３に入ってくる信号は、図５（ｂ）に示されるように、充電機能部３２からのノイズの影響がない電力線通信帯域２８のみになる。
【００３６】
このように、ノイズフィルタ部を設けることによって、自身の充電機能部３２から放出されるノイズを抑制し、ノイズから受ける影響をなくし、また電力線通信網に対するノイズの影響もなくすことが可能になる。
【産業上の利用可能性】
【００３７】
本発明にかかる電力線通信端末は、電力線通信の伝送路に影響を及ぼすノイズを放出する端末の充電機能を搭載した端末等に有用である。
【図面の簡単な説明】
【００３８】
【図１】本発明の実施の形態１の電力線通信端末の概略図
【図２】本発明の電力線通信端末を利用したホームネットワークの一構成図
【図３】本発明の電力線通信端末の一構成例を示すブロック図
【図４】本発明の実施の形態１における周波数帯図
【図５】本発明の実施の形態１における周波数帯図
【符号の説明】
【００３９】
１  携帯電話
２  充電台
３  充電機能付電力線通信端末
４、３７  通信ＩＦ
５、３６  電力ＩＦ
７、８、９  電力線通信端末
１３  Ｅｔｈｅｒｎｅｔ（登録商標）ケーブル
１４  電力線
３１  充電ＩＦ
３２  充電機能部
３３  電力線通信制御部
３４  ノイズフィルタ部
３５  ハイパスフィルタ部
【図１】
2010041303.tif 000003
【図２】
2010041303.tif 000004
【図３】
2010041303.tif 000005
【図４】
2010041303.tif 000006
【図５】
2010041303.tif 000007